(57)【要約】【課題】複数の撮像装置で撮像される複数のライブビュー画像を無線通信で受信して表示する場合に、電波環境が悪化しても、ライブビュー画像の表示品質をあまり低下させることなくマルチライブビューの処理を継続することができる撮像制御装置、撮像制御方法、撮像システム及びプログラムを提供する。【解決手段】撮像制御装置は、複数の撮像装置のそれぞれとの間の電波強度を検知する電波強度検知部２０３と、検知された電波強度に基づいて、複数のライブビュー画像の優先順位を設定する優先順位設定部２３４と、複数のライブビュー画像の優先順位に基づいて、複数のライブビュー画像のそれぞれの転送量に関連する転送条件を設定する転送条件設定部２３６と、設定された転送条件を無線通信部１１０を介して複数の撮像装置に送信する通信制御部２４８を備える。【選択図】図３
2018098801.tif 000002
【特許請求の範囲】
【請求項１】
複数の撮像装置から無線通信で複数のライブビュー画像を受信する無線通信部と、
前記複数の撮像装置から受信した前記複数のライブビュー画像を、画像表示可能である表示画面の複数領域に表示させる表示制御部と、
前記複数の撮像装置のそれぞれとの間の電波強度を検知する電波強度検知部と、
前記電波強度検知部で検知された電波強度に基づいて、前記複数のライブビュー画像の優先順位を設定する優先順位設定部と、
前記複数のライブビュー画像の優先順位に基づいて、前記複数のライブビュー画像のそれぞれの転送量に関連する転送条件を設定する転送条件設定部と、
前記転送条件設定部により設定された転送条件を、前記複数の撮像装置に前記無線通信部を介して送信する通信制御部と、
を備える撮像制御装置。
【請求項２】
複数の撮像装置から無線通信で複数のライブビュー画像を受信する無線通信部と、
前記複数の撮像装置から受信した前記複数のライブビュー画像を、画像表示可能である表示画面の複数領域に表示させる表示制御部と、
前記複数の撮像装置のそれぞれとの間の電波強度を推定する電波強度推定部と、
前記電波強度推定部で推定された電波強度に基づいて、前記複数のライブビュー画像の優先順位を設定する優先順位設定部と、
前記複数のライブビュー画像の優先順位に基づいて、前記複数のライブビュー画像のそれぞれの転送量に関連する転送条件を設定する転送条件設定部と、
前記転送条件設定部により設定された転送条件を、前記複数の撮像装置に前記無線通信部を介して送信する通信制御部と、
を備える撮像制御装置。
【請求項３】
前記電波強度検知部は、アクセスポイントを介して前記撮像装置と通信を行う場合、前記撮像装置と前記アクセスポイントとの間の電波強度を前記アクセスポイントから取得する請求項１に記載の撮像制御装置。
【請求項４】
前記電波強度推定部は、前記複数の撮像装置のそれぞれとの間のライブビュー画像の各フレームの再送回数、又は実際のフレームレートを用いて前記電波強度を推定する請求項２に記載の撮像制御装置。
【請求項５】
前記複数の撮像装置のそれぞれとの間の電波強度を閾値と比較する電波強度比較部を備え、
前記優先順位設定部は、前記電波強度が前記閾値よりも小さい場合、前記電波強度が前記閾値以上である場合よりも前記優先順位を低く設定し、
前記転送条件設定部は、前記優先順位が低くなると、前記優先順位が低いライブビュー画像の転送量を低下させる転送条件を設定する、
請求項１から４のいずれか１項に記載の撮像制御装置。
【請求項６】
前記優先順位に応じて、前記ライブビュー画像の表示態様を変更する表示態様設定部を備える、
請求項１から５のいずれか１項に記載の撮像制御装置。
【請求項７】
前記表示態様設定部は、前記優先順位に応じて、前記ライブビュー画像の表示サイズ及び表示位置のうち少なくともひとつを前記ライブビュー画像間で設定する、
請求項６に記載の撮像制御装置。
【請求項８】
前記表示制御部は、前記検知された電波強度を、前記表示画面に表示する、
請求項１又は３に記載の撮像制御装置。
【請求項９】
前記表示制御部は、前記推定された電波強度を、前記表示画面に表示する、
請求項２又は４に記載の撮像制御装置。
【請求項１０】
前記表示制御部は、前記複数のライブビュー画像のそれぞれの転送のフレームレート及び転送の画像サイズのうち少なくともひとつを、前記表示画面に表示する、
請求項１から９のうちいずれか一項に記載の撮像制御装置。
【請求項１１】
前記通信制御部は、前記ライブビュー画像の受信後に、撮影指示を前記無線通信部を介して前記複数の撮像装置に対して送信し、前記撮影指示に従って前記複数の撮像装置で撮影された複数の画像を前記無線通信部を介して前記複数の撮像装置から受信する、
請求項１から１０のうちいずれか一項に記載の撮像制御装置。
【請求項１２】
前記通信制御部は、前記複数の撮像装置で自動で撮影された画像を前記複数の撮像装置から受信する、
請求項１から１０のうちいずれか一項に記載の撮像制御装置。
【請求項１３】
前記撮像装置と、請求項１から１２のうちいずれか一項に記載の撮像制御装置と、を備える撮像システム。
【請求項１４】
複数の撮像装置から無線通信で複数のライブビュー画像を受信するステップと、
前記複数の撮像装置から受信した前記複数のライブビュー画像を、画像表示可能である表示画面の複数領域に表示させるステップと、
前記複数の撮像装置のそれぞれとの間の電波強度を検知するステップと、
前記検知された電波強度に基づいて、前記複数のライブビュー画像の優先順位を設定する優先順位設定ステップと、
前記複数のライブビュー画像の優先順位に基づいて、前記複数のライブビュー画像のそれぞれの転送量に関連する転送条件を設定する転送条件設定ステップと、
前記設定された転送条件を、前記複数の撮像装置に無線通信で送信するステップと、
を含む撮像制御方法。
【請求項１５】
複数の撮像装置から無線通信で複数のライブビュー画像を受信するステップと、
前記複数の撮像装置から受信した前記複数のライブビュー画像を、画像表示可能である表示画面の複数領域に表示させるステップと、
前記複数の撮像装置のそれぞれとの間の電波強度を推定するステップと、
前記推定された電波強度に基づいて、前記複数のライブビュー画像の優先順位を設定する優先順位設定ステップと、
前記複数のライブビュー画像の優先順位に基づいて、前記複数のライブビュー画像のそれぞれの転送量に関連する転送条件を設定する転送条件設定ステップと、
前記設定された転送条件を、前記複数の撮像装置に無線通信で送信するステップと、
を含む撮像制御方法。
【請求項１６】
前記電波強度を検知するステップは、アクセスポイントを介して前記撮像装置と通信を行う場合、前記撮像装置と前記アクセスポイントとの間の電波強度を前記アクセスポイントから取得する請求項１４に記載の撮像制御方法。
【請求項１７】
前記電波強度を推定するステップは、前記複数の撮像装置のそれぞれとの間のライブビュー画像の各フレームの再送回数、又は実際のフレームレートを用いて前記電波強度を推定する請求項１５に記載の撮像制御方法。
【請求項１８】
前記複数の撮像装置のそれぞれとの間の電波強度を閾値と比較するステップを備え、
前記電波強度が前記閾値よりも小さい場合、前記電波強度が前記閾値以上である場合よりも前記優先順位を低く設定し、
前記優先順位が低くなると、前記優先順位が低いライブビュー画像の転送量を低下させる転送条件を設定する、
請求項１４から１７のいずれか１項に記載の撮像制御方法。
【請求項１９】
前記優先順位に応じて、前記ライブビュー画像の表示態様を変更する、
請求項１４から１８のいずれか１項に記載の撮像制御方法。
【請求項２０】
前記優先順位に応じて、前記ライブビュー画像の表示サイズ及び表示位置のうち少なくともひとつを前記複数のライブビュー画像間で設定する、
請求項１４から１９のいずれか１項に記載の撮像制御方法。
【請求項２１】
複数の撮像装置から無線通信で複数のライブビュー画像を受信するステップと、
前記複数の撮像装置から受信した前記複数のライブビュー画像を、画像表示可能である表示画面の複数領域に表示させるステップと、
前記複数の撮像装置のそれぞれとの間の電波強度を検知するステップと、
前記検知された電波強度に基づいて、前記複数のライブビュー画像の優先順位を設定するステップと、
前記複数のライブビュー画像の優先順位に基づいて、前記複数のライブビュー画像のそれぞれの転送量に関連する転送条件を設定するステップと、
前記設定された転送条件を、前記複数の撮像装置に無線通信で送信するステップと、
をコンピュータに実行させるプログラム。
【請求項２２】
複数の撮像装置から無線通信で複数のライブビュー画像を受信するステップと、
前記複数の撮像装置から受信した前記複数のライブビュー画像を、画像表示可能である表示画面の複数領域に表示させるステップと、
前記複数の撮像装置のそれぞれとの間の電波強度を推定するステップと、
前記推定された電波強度に基づいて、前記複数のライブビュー画像の優先順位を設定するステップと、
前記複数のライブビュー画像の優先順位に基づいて、前記複数のライブビュー画像のそれぞれの転送量に関連する転送条件を設定するステップと、
前記設定された転送条件を、前記複数の撮像装置に無線通信で送信するステップと、
をコンピュータに実行させるプログラム。
【請求項２３】
請求項２１又は２２に記載のプログラムを記録したコンピュータ読み取り可能な非一時的記録媒体。
【発明の詳細な説明】
【技術分野】
【０００１】
本発明は、撮像制御装置、撮像制御方法、撮像システム及びプログラムに係り、特に複数の撮像装置から無線通信で複数のライブビュー画像を受信する撮像制御装置、撮像制御方法、撮像システム及びプログラムに関する。
【背景技術】
【０００２】
無線通信可能な携帯電話機において、電波環境が劣悪な状態になったとき、ユーザに対して報知を行って動作中の処理を停止させる操作を行わせることが知られている（特許文献１を参照）。
【０００３】
無線通信可能かつ移動可能なロボットにおいて、電波環境が劣悪な状態になったとき、電波環境が良好な場所に移動することが知られている（特許文献２を参照）。
【０００４】
また、複数のコンピュータ装置から無線通信で複数の画像を受信して多画面画像を作成及び投影表示する装置において、複数のコンピュータ装置の優先順位に従ってコンピュータ装置との接続を切換えることが知られている（特許文献３を参照）。
【先行技術文献】
【特許文献】
【０００５】
【特許文献１】特開２００２−２１８５４４号公報
【特許文献２】特開２００４−２６０７６９号公報
【特許文献３】特開２０１４−０３８３３６号公報
【発明の概要】
【発明が解決しようとする課題】
【０００６】
複数の撮像装置から無線通信で送信された複数のライブビュー画像をスマートフォン、タブレット端末等のユーザ端末で受信し、複数のライブビュー画像を表示画面に表示すること（以下「マルチライブビュー」という）が求められている。
【０００７】
このようなマルチライブビューの処理を実行中に、複数の撮像装置の全てとの無線通信が継続不可能になるという重度の電波環境悪化であれば、マルチライブビューの処理を停止させることも考えられるが、電波環境が悪化しても無線通信を継続可能な軽度の電波環境悪化であれば、マルチライブビューの処理を継続することが求められる。
【０００８】
しかしながら、マルチライブビューの処理中、電波環境悪化でコマ落ちが発生して、ライブビュー画像の見栄えが悪くなる場合があるという問題がある。
【０００９】
また、電波環境が悪化した場合でも、複数の撮像装置との間で電波環境の悪化の程度が異なるので、ユーザの観点からは、電波環境の悪化の影響が大きいライブビュー画像は表示品質の劣化ができる限り抑えられて見ることができればよいし、電波環境の悪化の影響が無い又は悪化の影響の程度が小さいライブビュー画像はできる限り表示品質が維持されて見ることができればよい、と考えられる。
【００１０】
特許文献１、２は、電波環境が悪化しても画像の表示品質をあまり落とすことなく処理を継続する観点の開示が欠けている。
【００１１】
特許文献３は、無線通信相手の複数のコンピュータ装置に対して優先順位を設定することを開示したにすぎず、マルチライブビューの処理を実行中に電波環境が悪化しても、どのようにして画像の表示品質をあまり低下させることなく処理を継続するかについて何も開示及び示唆がない。
【００１２】
よって、特許文献１〜３記載の技術をマルチライブビューに適用しても、電波環境が悪化したときはライブビュー画像の表示品質をあまり低下させることなくマルチライブビューの処理を継続できることにはならない。特許文献１記載の技術を適用しても、電波環境が劣悪な状態になったときにマルチライブビュー処理の停止操作を行わせるようにユーザに報知を行うことが限度といえる。特許文献２記載の技術を適用しても、電波環境が劣悪な状態になったときに電波環境が良好になるように現在位置からの移動をユーザに求めることが限度といえる。特許文献３記載の技術を適用しても、撮像装置に対して設定された優先順位に応じて撮像装置との接続を切換えることが限度といえる。
【００１３】
本発明は上述の事情に鑑みてなされたものであり、複数の撮像装置で撮像される複数のライブビュー画像を無線通信で受信して表示する場合に、電波環境が悪化しても、ユーザに提示するライブビュー画像の表示品質をあまり低下させることなくマルチライブビューの処理を継続することができる撮像制御装置、撮像制御方法、撮像システム及びプログラムを提供することを目的とする。
【課題を解決するための手段】
【００１４】
本発明の一態様は、複数の撮像装置から無線通信で複数のライブビュー画像を受信する無線通信部と、複数の撮像装置から受信した複数のライブビュー画像を、画像表示可能である表示画面の複数領域に表示させる表示制御部と、複数の撮像装置のそれぞれとの間の電波強度を検知する電波強度検知部と、電波強度検知部で検知された電波強度に基づいて、複数のライブビュー画像の優先順位を設定する優先順位設定部と、複数のライブビュー画像の優先順位に基づいて、複数のライブビュー画像のそれぞれの転送量に関連する転送条件を設定する転送条件設定部と、転送条件設定部により設定された転送条件を、複数の撮像装置に無線通信部を介して送信する通信制御部と、を備える撮像制御装置に関する。
【００１５】
本発明の一態様によれば、複数の撮像装置のそれぞれとの間の電波強度に基づいて複数のライブビュー画像の優先順位が設定され、複数のライブビュー画像の優先順位に基づいて複数のライブビュー画像のそれぞれの転送条件が設定されて複数の撮像装置に送信されるので、電波環境の悪化の影響が大きいライブビュー画像は表示品質の劣化をできる限り抑えてユーザに提供することが可能になり、電波環境の悪化の影響が無い又は悪化の影響の程度が小さいライブビュー画像はできる限り表示品質を維持してユーザに提供することが可能になる。つまり、電波環境が悪化しても、ユーザに提示するライブビュー画像の表示品質をあまり低下させることなくマルチライブビューの処理を継続することができる。
【００１６】
本発明の一態様は、複数の撮像装置から無線通信で複数のライブビュー画像を受信する無線通信部と、複数の撮像装置から受信した複数のライブビュー画像を、画像表示可能である表示画面の複数領域に表示させる表示制御部と、複数の撮像装置のそれぞれとの間の電波強度を推定する電波強度推定部と、電波強度推定部で推定された電波強度に基づいて、複数のライブビュー画像の優先順位を設定する優先順位設定部と、複数のライブビュー画像の優先順位に基づいて、複数のライブビュー画像のそれぞれの転送量に関連する転送条件を設定する転送条件設定部と、転送条件設定部により設定された転送条件を、複数の撮像装置に無線通信部を介して送信する通信制御部と、を備える撮像制御装置に関する。
【００１７】
本発明の一態様では、電波強度検知部は、アクセスポイントを介して撮像装置と通信を行う場合、撮像装置とアクセスポイントとの間の電波強度をアクセスポイントから取得する。
【００１８】
本発明の一態様では、電波強度推定部は、複数の撮像装置のそれぞれとの間のライブビュー画像の各フレームの再送回数、又は実際のフレームレートを用いて電波強度を推定する。
【００１９】
本発明の一態様では、複数の撮像装置のそれぞれとの間の電波強度を閾値と比較する電波強度比較部を備え、優先順位設定部は、電波強度が閾値よりも小さい場合、電波強度が閾値以上である場合よりも優先順位を低く設定し、転送条件設定部は、優先順位が低くなると、優先順位が低いライブビュー画像の転送量を低下させる転送条件を設定する。
【００２０】
本態様によれば、弱い電波強度に対応するライブビュー画像の転送量を低下させる一方で、強い電波強度に対応するライブビュー画像の転送量を維持させることができるので、弱い電波強度に対応するライブビュー画像はコマ落ちを抑えつつユーザに提示することが可能になり、強い電波強度に対応するライブビュー画像は表示品質を維持してユーザに提示することが可能になる。
【００２１】
本発明の一態様では、優先順位に応じて、ライブビュー画像の表示態様を変更する表示態様設定部を備える。
【００２２】
本態様によれば、電波強度に基づいて設定されるライブビュー画像の優先順位に応じて、ライブビュー画像の表示態様を変更することにより、電波環境の悪化の影響が大きいライブビュー画像の見栄えの低下を抑えつつ、電波環境の悪化が無い又は電波環境の悪化の影響が小さい電波強度に対応するライブビュー画像の見栄えを保つことが可能になる。
【００２３】
本発明の一態様では、表示態様設定部は、優先順位に応じて、ライブビュー画像の表示サイズ及び表示位置のうち少なくともひとつを複数のライブビュー画像間で設定する。
【００２４】
本態様によれば、弱い電波強度に対応するライブビュー画像は表示サイズ及び表示位置のうち少なくともひとつを変化させることで見栄えの低下を抑えつつ、強い電波強度に対応するライブビュー画像は表示サイズ及び表示位置を変化させないことで見栄えを保つことが可能になる。
【００２５】
本発明の一態様では、表示制御部は、検知された電波強度を、表示画面に表示する。
【００２６】
本発明の一態様では、表示制御部は、推定された電波強度を、表示画面に表示する。
【００２７】
本発明の一態様では、表示制御部は、複数のライブビュー画像のそれぞれの転送のフレームレート及び転送の画像サイズのうち少なくともひとつを、表示画面に表示する。
【００２８】
本発明の一態様では、通信制御部は、ライブビュー画像の受信後に、撮影指示を無線通信部を介して複数の撮像装置に対して送信し、撮影指示に従って複数の撮像装置で撮影された複数の画像を無線通信部を介して複数の撮像装置から受信する。
【００２９】
本発明の一態様では、通信制御部は、複数の撮像装置で自動で撮影された画像を複数の撮像装置から受信する。
【００３０】
本発明の一態様は、撮像装置と、撮像制御装置と、を備える撮像システムに関する。
【００３１】
本発明の一態様は、複数の撮像装置から無線通信で複数のライブビュー画像を受信するステップと、複数の撮像装置から受信した複数のライブビュー画像を、画像表示可能である表示画面の複数領域に表示させるステップと、複数の撮像装置のそれぞれとの間の電波強度を検知するステップと、検知された電波強度に基づいて、複数のライブビュー画像の優先順位を設定する優先順位設定ステップと、複数のライブビュー画像の優先順位に基づいて、複数のライブビュー画像のそれぞれの転送量に関連する転送条件を設定する転送条件設定ステップと、設定された転送条件を、複数の撮像装置に無線通信で送信するステップと、を含む撮像制御方法に関する。
【００３２】
本発明の一態様は、複数の撮像装置から無線通信で複数のライブビュー画像を受信するステップと、複数の撮像装置から受信した複数のライブビュー画像を、画像表示可能である表示画面の複数領域に表示させるステップと、複数の撮像装置のそれぞれとの間の電波強度を推定するステップと、推定された電波強度に基づいて、複数のライブビュー画像の優先順位を設定する優先順位設定ステップと、複数のライブビュー画像の優先順位に基づいて、複数のライブビュー画像のそれぞれの転送量に関連する転送条件を設定する転送条件設定ステップと、設定された転送条件を、複数の撮像装置に無線通信で送信するステップと、を含む撮像制御方法に関する。
【００３３】
本発明の一態様では、電波強度を検知するステップは、アクセスポイントを介して撮像装置と通信を行う場合、撮像装置とアクセスポイントとの間の電波強度をアクセスポイントから取得する。
【００３４】
本発明の一態様では、電波強度を推定するステップは、複数の撮像装置のそれぞれとの間のライブビュー画像の各フレームの再送回数、又は実際のフレームレートを用いて電波強度を推定する。
【００３５】
本発明の一態様では、電波強度を閾値と比較するステップを備え、電波強度が閾値よりも小さい場合、電波強度が閾値以上である場合よりも優先順位を低く設定し、優先順位が低くなると、優先順位が低いライブビュー画像の転送量を低下させる転送条件を設定する。
【００３６】
本発明の一態様では、優先順位に応じて、ライブビュー画像の表示態様を変更する。
【００３７】
本発明の一態様では、優先順位に応じて、ライブビュー画像の表示サイズ及び表示位置のうち少なくともひとつを複数の撮像装置間で設定する。
【００３８】
本発明の一態様は、複数の撮像装置から無線通信で複数のライブビュー画像を受信するステップと、複数の撮像装置から受信した複数のライブビュー画像を、画像表示可能である表示画面の複数領域に表示させるステップと、複数の撮像装置のそれぞれとの間の電波強度を検知するステップと、検知された電波強度に基づいて、複数のライブビュー画像の優先順位を設定するステップと、複数のライブビュー画像の優先順位に基づいて、複数のライブビュー画像のそれぞれの転送量に関連する転送条件を設定するステップと、設定された転送条件を、複数の撮像装置に無線通信で送信するステップと、をコンピュータに実行させるプログラムに関する。これらのプログラムを記録したコンピュータ読み取り可能な非一時的記録媒体も本発明の一態様に含まれる。
【発明の効果】
【００３９】
本発明によれば、複数の撮像装置で撮像される複数のライブビュー画像を無線通信で受信して表示する場合に、電波環境が悪化しても、ユーザに提示するライブビュー画像の表示品質をあまり低下させることなくマルチライブビューの処理を継続することができる。
【図面の簡単な説明】
【００４０】
【図１】撮像システムの一例を示すシステム構成図
【図２】スマートフォンの一例のハードウェア構成を示すブロック図
【図３】本発明の要部の内部構成例を示すブロック図
【図４】マルチライブビュー制御情報の一例を示す説明図
【図５】ライブビュー制御処理の一例の流れを示すフローチャート
【図６】マルチライブビュー画面の説明に用いる説明図
【図７】表示態様の一例であるレイアウトの設定の説明に用いる第１の説明図
【図８】表示態様の一例であるレイアウトの設定の説明に用いる第２の説明図
【図９】電波強度の変化に応じた優先順位の変更に伴う表示態様の変更の説明に用いる第３の説明図
【図１０】ライブビュー画像の優先順位と表示態様の一例であるレイアウトとの対応関係を示す表示態様変更制御情報の説明に用いる説明図
【図１１】電波強度表示及びライブビュー画像表示の説明に用いる説明図
【図１２】電波強度の変化に応じた優先順位の変更に伴うレイアウトのパターン変更の説明に用いる説明図
【図１３】転送条件の表示の説明に用いる説明図
【図１４】撮像システムの他の例を示すシステム構成図
【発明を実施するための形態】
【００４１】
以下、図面を参照して本発明の実施形態について説明する。
【００４２】
［撮像システムの構成］
図１は、複数の撮像装置１０Ａ、１０Ｂ、１０Ｃ及び撮像制御装置として機能するスマートフォン１００を含む撮像システムの一例を示す構成図である。以下では、複数の撮像装置１０Ａ、１０Ｂ、１０Ｃのうち少なくともひとつを、「撮像装置１０」という場合もある。
【００４３】
本例では、複数の撮像装置１０Ａ、１０Ｂ、１０Ｃのそれぞれとスマートフォン１００とが直接的に無線通信を行う。
【００４４】
［スマートフォンのハードウェア構成例］
図２は、図１に示したスマートフォン１００のハードウェア構成を示すブロック図である。
【００４５】
図２に示すように、スマートフォン１００の主たる構成要素として、無線通信部１１０と、表示入力部１２０と、通話部１３０と、操作部１４０と、カメラ部１４１と、記憶部１５０と、外部入出力部１６０と、ＧＰＳ(Global Positioning System)受信部１７０と、モーションセンサ部１８０と、電源部１９０と、主制御部１０１とを備える。また、スマートフォン１００の主たる機能として、基地局装置と移動通信網とを介した移動無線通信を行う無線通信機能を備える。
【００４６】
無線通信部１１０は、主制御部１０１の指示に従って、移動通信網に収容された基地局装置に対し無線通信を行うものである。この無線通信を使用して、音声データ、画像データ等の各種ファイルデータ、電子メールデータなどの送受信や、Ｗｅｂデータやストリーミングデータなどの受信を行う。本例では、スマートフォン１００の無線通信部１１０は、撮像装置１０に各種の操作用の指示入力を送信したり、撮像装置１０からライブビュー画像、記録用の画像等を受信する。
【００４７】
表示入力部１２０は、主制御部１０１の制御により、画像（静止画及び動画）や文字情報などを表示して視覚的にユーザに情報を伝達すると共に、表示した情報に対するユーザ操作を検出する、いわゆるタッチパネルであって、表示パネル１２１と、操作パネル１２２とを備える。３Ｄ画像を鑑賞する場合には、表示パネル１２１は、３Ｄ表示パネルであることが好ましい。
【００４８】
表示パネル１２１は、LCD(Liquid Crystal Display)、OELD(Organic Electro-Luminescence Display)などを表示デバイスとして用いたものである。
【００４９】
操作パネル１２２は、表示パネル１２１の表示画面上に表示される画像を視認可能に載置され、ユーザの指や尖筆によって操作される一又は複数の座標を検出するデバイスである。このデバイスをユーザの指や尖筆によって操作すると、操作に起因して発生する検出信号を主制御部１０１に出力する。次いで、主制御部１０１は、受信した検出信号に基づいて、表示パネル１２１上の操作位置（座標）を検出する。
【００５０】
図１に示すように、スマートフォン１００の表示パネル１２１と操作パネル１２２とは一体となって表示入力部１２０を構成しているが、操作パネル１２２が表示パネル１２１を完全に覆うような配置となっている。この配置を採用した場合、操作パネル１２２は、表示パネル１２１外の領域についても、ユーザ操作を検出する機能を備えてもよい。換言すると、操作パネル１２２は、表示パネル１２１に重なる重畳部分についての検出領域（以下、表示領域と称する）と、それ以外の表示パネル１２１に重ならない外縁部分についての検出領域（以下、非表示領域と称する）とを備えていてもよい。
【００５１】
尚、表示領域の大きさと表示パネル１２１の大きさとを完全に一致させても良いが、両者を必ずしも一致させる必要はない。また、操作パネル１２２が、外縁部分と、それ以外の内側部分の２つの感応領域を備えていてもよい。更に、外縁部分の幅は、筐体１０２の大きさなどに応じて適宜設計されるものである。更にまた、操作パネル１２２で採用される位置検出方式としては、マトリクススイッチ方式、抵抗膜方式、表面弾性波方式、赤外線方式、電磁誘導方式、静電容量方式などが挙げられ、いずれの方式を採用することもできる。
【００５２】
通話部１３０は、スピーカ１３１やマイクロホン１３２を備え、マイクロホン１３２を通じて入力されたユーザの音声を主制御部１０１にて処理可能な音声データに変換して主制御部１０１に出力したり、無線通信部１１０あるいは外部入出力部１６０により受信された音声データを復号してスピーカ１３１から出力するものである。また、図１に示すように、例えば、スピーカ１３１及びマイクロホン１３２を表示入力部１２０が設けられた面と同じ面に搭載することができる。
【００５３】
操作部１４０は、キースイッチなどを用いたハードウェアキーであって、ユーザからの指示を受け付けるものである。例えば、操作部１４０は、スマートフォン１００の筐体１０２の表示部の下部、下側面に搭載され、指などで押下されるとオンとなり、指を離すとバネなどの復元力によってオフ状態となる押しボタン式のスイッチである。
【００５４】
記憶部１５０は、主制御部１０１の制御プログラムや制御データ、通信相手の名称や電話番号などを対応づけたアドレスデータ、送受信した電子メールのデータ、ＷｅｂブラウジングによりダウンロードしたＷｅｂデータや、ダウンロードしたコンテンツデータを記憶し、またストリーミングデータなどを一時的に記憶するものである。また、記憶部１５０は、スマートフォン内蔵の内部記憶部１５１と着脱自在な外部メモリスロットを有する外部記憶部１５２により構成される。尚、記憶部１５０を構成するそれぞれの内部記憶部１５１と外部記憶部１５２は、フラッシュメモリタイプ（flash memory type）、ハードディスクタイプ（hard disk type）、マルチメディアカードマイクロタイプ（multimedia card micro type）、カードタイプのメモリ（例えば、Micro SD（登録商標）メモリ等）、ＲＡＭ（Random Access Memory）、ＲＯＭ（Read Only Memory）などの格納媒体を用いて実現される。
【００５５】
外部入出力部１６０は、スマートフォン１００に連結される全ての外部機器とのインターフェースの役割を果たすものであり、他の外部機器に通信等（例えば、ユニバーサルシリアルバス（ＵＳＢ）、IEEE1394など）又はネットワーク（例えば、インターネット、無線ＬＡＮ、ブルートゥース（Bluetooth）（登録商標）、ＲＦＩＤ（Radio Frequency Identification）、赤外線通信（Infrared Data Association：ＩｒＤＡ）（登録商標）、ＵＷＢ（Ultra Wideband）（登録商標）、ジグビー（ZigBee）（登録商標）など）により直接的又は間接的に接続するためのものである。
【００５６】
スマートフォン１００に連結される外部機器としては、例えば、有／無線ヘッドセット、有／無線外部充電器、有／無線データポート、カードソケットを介して接続されるメモリカード（Memory card）やＳＩＭ(Subscriber Identity Module Card)／ＵＩＭ(User Identity Module Card)カード、オーディオ・ビデオＩ／Ｏ（Input/Output）端子を介して接続される外部オーディオ・ビデオ機器、無線接続される外部オーディオ・ビデオ機器、有／無線接続されるスマートフォン、有／無線接続されるパーソナルコンピュータ、有／無線接続されるPDA、有／無線接続されるイヤホンなどがある。外部入出力部は、このような外部機器から伝送を受けたデータをスマートフォン１００の内部の各構成要素に伝達することや、スマートフォン１００の内部のデータが外部機器に伝送されるようにすることができる。
【００５７】
ＧＰＳ受信部１７０は、主制御部１０１の指示に従って、GPS衛星ＳＴ１〜ＳＴｎから送信されるGPS信号を受信し、受信した複数のGPS信号に基づく測位演算処理を実行し、当該スマートフォン１００の緯度、経度、高度からなる位置を検出する。ＧＰＳ受信部１７０は、無線通信部１１０や外部入出力部１６０（例えば、無線ＬＡＮ）から位置情報を取得できるときには、その位置情報を用いて位置を検出することもできる。
【００５８】
モーションセンサ部１８０は、例えば、３軸の加速度センサなどを備え、主制御部１０１の指示に従って、スマートフォン１００の物理的な動きを検出する。スマートフォン１００の物理的な動きを検出することにより、スマートフォン１００の動く方向や加速度が検出される。この検出結果は、主制御部１０１に出力されるものである。
【００５９】
電源部１９０は、主制御部１０１の指示に従って、スマートフォン１００の各部に、バッテリ（図示しない）に蓄えられる電力を供給するものである。
【００６０】
主制御部１０１は、マイクロプロセッサを備え、記憶部１５０が記憶する制御プログラムや制御データに従って動作し、スマートフォン１００の各部を統括して制御するものである。また、主制御部１０１は、無線通信部１１０を通じて、音声通信やデータ通信を行うために、通信系の各部を制御する移動通信制御機能と、アプリケーション処理機能を備える。
【００６１】
アプリケーション処理機能は、記憶部１５０が記憶するアプリケーションソフトウェアに従って主制御部１０１が動作することにより実現するものである。アプリケーション処理機能としては、例えば、外部入出力部１６０を制御して対向機器とデータ通信を行う赤外線通信機能や、電子メールの送受信を行う電子メール機能、Webページを閲覧するWebブラウジング機能などがある。
【００６２】
また、主制御部１０１は、受信データやダウンロードしたストリーミングデータなどの画像データ（静止画や動画のデータ）に基づいて、映像を表示入力部１２０に表示する等の画像処理機能を備える。画像処理機能とは、主制御部１０１が、上記画像データを復号し、この復号結果に画像処理を施して、画像を表示入力部１２０に表示する機能のことをいう。
【００６３】
更に、主制御部１０１は、表示パネル１２１に対する表示制御と、操作部１４０、操作パネル１２２を通じたユーザ操作を検出する操作検出制御を実行する。
【００６４】
表示制御の実行により、主制御部１０１は、アプリケーションソフトウェアを起動するためのアイコンや、スクロールバーなどのソフトウェアキーを表示し、あるいは電子メールを作成するためのウィンドウを表示する。尚、スクロールバーとは、表示パネル１２１の表示領域に収まりきらない大きな画像などについて、画像の表示部分を移動する指示を受け付けるためのソフトウェアキーのことをいう。
【００６５】
また、操作検出制御の実行により、主制御部１０１は、操作部１４０を通じたユーザ操作を検出したり、操作パネル１２２を通じて、上記アイコンに対する操作や、上記ウィンドウの入力欄に対する文字列の入力を受け付けたり、あるいは、スクロールバーを通じた表示画像のスクロール要求を受け付ける。
【００６６】
更に、操作検出制御の実行により主制御部１０１は、操作パネル１２２に対する操作位置が、表示パネル１２１に重なる重畳部分（表示領域）か、それ以外の表示パネル１２１に重ならない外縁部分（非表示領域）かを判定し、操作パネル１２２の感応領域や、ソフトウェアキーの表示位置を制御するタッチパネル制御機能を備える。
【００６７】
また、主制御部１０１は、操作パネル１２２に対するジェスチャ操作を検出し、検出したジェスチャ操作に応じて、予め設定された機能を実行することもできる。ジェスチャ操作とは、従来の単純なタッチ操作ではなく、指などによって軌跡を描いたり、複数の位置を同時に指定したり、あるいはこれらを組み合わせて、複数の位置から少なくとも１つについて軌跡を描く操作を意味する。
【００６８】
カメラ部１４１は、CMOS(Complementary Metal Oxide Semiconductor)やCCD(Charge Coupled Device)などの撮像素子を用いて電子撮影するデジタルカメラである。また、カメラ部１４１は、主制御部１０１の制御により、撮影によって得た画像データを、例えばJPEG(Joint Photographic coding Experts Group)などの圧縮した画像データに変換し、記憶部１５０に記録したり、外部入出力部１６０や無線通信部１１０を通じて出力することができる。図１に示すスマートフォン１００において、カメラ部１４１は表示入力部１２０と同じ面に搭載されているが、カメラ部１４１の搭載位置はこれに限らず、表示入力部１２０の背面に搭載されてもよいし、あるいは、複数のカメラ部１４１が搭載されてもよい。尚、複数のカメラ部１４１が搭載されている場合には、撮影に供するカメラ部１４１を切り替えて単独にて撮影したり、あるいは、複数のカメラ部１４１を同時に使用して撮影することもできる。
【００６９】
また、カメラ部１４１はスマートフォン１００の各種機能に利用することができる。例えば、表示パネル１２１にカメラ部１４１で取得した画像を表示することや、操作パネル１２２の操作入力のひとつとして、カメラ部１４１の画像を利用することができる。また、ＧＰＳ受信部１７０が位置を検出する際に、カメラ部１４１からの画像を参照して位置を検出することもできる。更には、カメラ部１４１からの画像を参照して、３軸の加速度センサを用いずに、あるいは、３軸の加速度センサと併用して、スマートフォン１００のカメラ部１４１の光軸方向を判断することや、現在の使用環境を判断することもできる。勿論、カメラ部１４１からの画像をアプリケーションソフトウェア内で利用することもできる。
【００７０】
本例では、ネットワーク等を介して撮像装置１０を操作するためのアプリケーションソフトウェアをダウンロードして記憶部１５０に記憶させ、スマートフォン１００のアプリケーション処理機能により、ダウンロードしたアプリケーションソフトウェアに従って主制御部１０１を動作させることにより、汎用のスマートフォン１００を、撮像装置１０を操作するためのユーザインターフェース部（ＵＩ部）として機能させるようにしている。
【００７１】
図３は、本発明のライブビュー制御装置の要部の構成例を示すブロック図である。図３において、スマートフォン１００は、本発明のライブビュー制御装置の一例である。
【００７２】
スマートフォン１００の無線通信部１１０は、複数の撮像装置１０から複数のライブビュー画像を受信（入力）する画像入力部２０２、複数の撮像装置１０のそれぞれとの間の電波強度を検知する電波強度検知部２０３、及び複数の撮像装置１０に対して転送条件等の指示を送信（出力）する指示出力部２０４として、用いられる。
【００７３】
スマートフォン１００の表示入力部１２０は、ユーザの指示入力を受け付ける指示入力部２１２として、用いられる。
【００７４】
スマートフォン１００の主制御部１０１は、複数のライブビュー画像の表示態様を設定する表示態様設定部２３２と、複数の撮像装置１０のそれぞれとの間の電波強度を閾値と比較する電波強度比較部２３３と、複数のライブビュー画像の優先順位を複数のライブビュー画像間で設定する優先順位設定部２３４と、複数のライブビュー画像の優先順位に基づいて、複数のライブビュー画像の転送のフレームレート及び転送の画像サイズのうち少なくともひとつを含む転送条件を設定する転送条件設定部２３６と、複数の撮像装置１０から受信されたライブビュー画像に対して画像処理を行う画像処理部２４２と、複数の撮像装置１０から受信された複数のライブビュー画像のそれぞれを表示パネル１２１（画像表示可能である表示画面の一例である）の複数領域のそれぞれに表示させる表示制御部２４４と、転送条件設定部２３６により設定された転送条件を複数の撮像装置１０に無線通信部１１０を介して送信する通信制御部２４８と、記憶部１５０に記憶されたプログラムに従ってスマートフォン１００の各部での処理の実行を制御する実行制御部２５０と、を備える。
【００７５】
次に、スマートフォン１００の優先順位設定部２３４による優先順位の設定態様について説明する。
【００７６】
スマートフォン１００の優先順位設定部２３４は、第１に、ユーザにより設定された複数のライブビュー画像の表示態様等に基づいて、複数のライブビュー画像の優先順位を設定する。表示態様は、本明細書において、表示制御部２４４が表示パネル１２１にライブビュー画像を表示させる態様を表わす。表示制御部２４４の制御により表示パネル１２１に実際に表示されたライブビュー画像の表示の状況（「表示状況」という）によっても優先順位を設定してよい。
【００７７】
ライブビュー画像の表示態様として、以下の例が挙げられる。
・ライブビュー画像の表示サイズ。
・ライブビュー画像の表示位置。
・ライブビュー画像を拡大表示するか否か。あるいは拡大率。
・ライブビュー画像をぼかして表示するか否か。あるいはぼかし率。
【００７８】
ライブビュー画像の表示状況として、以下の例が挙げられる。
・ライブビュー画像中の特定の被写体像の有無。
・ライブビュー画像中の被写体像の重要性（例えば予め定められた被写体像間の順位）。
・ライブビュー画像中の動体像の有無、大きさ及び移動速度のうち少なくともひとつ。
・ライブビュー画像中の背景。
・ライブビュー画像の連続表示時間。
【００７９】
ライブビュー画像の表示態様は、表示態様設定部２３２により、ユーザから設定入力を受け付ける場合と、自動的に設定する場合がある。
【００８０】
ライブビュー画像の表示状況は、主制御部１０１により、ライブビュー画像から検出する場合と、撮像装置１０がライブビュー画像に付加した情報から検出する場合がある。ユーザが表示されたライブビュー画像から表示状況を判断して、スマートフォン１００に表示状況に対応する情報を入力する場合を含む。
【００８１】
尚、ライブビュー画像の表示態様及び表示状況は、上述の例には特に限定されない。
【００８２】
スマートフォン１００の優先順位設定部２３４は、第２に、電波強度検知部２０３で検知された複数の撮像装置１０Ａ、１０Ｂ、１０Ｃそれぞれとの間の電波強度に基づいて、複数のライブビュー画像の優先順位を設定する。つまり、複数の撮像装置１０Ａ、１０Ｂ、１０Ｃそれぞれとの間の電波強度の変化に応じて、優先順位の変更（再設定）を行う。
【００８３】
図４は、スマートフォン１００の主制御部１０１で管理されるマルチライブビュー制御情報の一例を示す。図４の「撮像装置」の列の情報は、図１に示した複数の撮像装置１０Ａ、１０Ｂ、１０Ｃのいずれであるかを示す識別情報である。図４の「ライブビュー画像」の列の情報は、図１に示した複数の撮像装置１０Ａ、１０Ｂ、１０Ｃから無線通信で受信する複数のライブビュー画像ＬＶ１、ＬＶ２、ＬＶ３のいずれであるかを示す識別情報である。図４の「電波強度」の列の情報は、電波強度検知部２０３で検知される電波強度を示す。図４の「優先順位」の列の情報は、複数のライブビュー画像間の優先順位を示す。本例の「優先順位」は、優先順位設定部２３４により設定される。図４に示すように優先順位が「１」、「２」、「２」という場合（つまり優先順位が異なる組み合わせと優先順位が同一の組み合わせとがある場合）と、優先順位が「１」、「２」、「３」という場合（つまり全ての組み合わせで優先順位が異なる場合）とがある。図４の「表示態様」の列の情報は、各ライブビュー画像の表示態様を示す。本例の「表示態様」は、表示態様設定部２３２により設定された表示サイズ及び表示位置を示す。図４の「転送条件」の列の情報は、複数の撮像装置１０Ａ、１０Ｂ、１０Ｃのそれぞれに対して送信されて各撮像装置で設定される転送条件（設定値）である。本例の転送条件は、転送条件設定部２３６で設定される。
【００８４】
尚、図４に記載したマルチライブビュー制御情報は一例であり、マルチライブビューの実行を制御するための情報は図４に記載の情報に特に限定されない。
【００８５】
図５のフローチャートを用いて、スマートフォン１００における撮像制御方法の一例の流れを説明する。図５に示すスマートフォン１００での処理は、スマートフォン１００の実行制御部２５０によって、スマートフォン１００の記憶部１５０に記憶されたプログラムに従って実行される。尚、撮像装置１０は、既に電源スイッチがオンされており、初期化を終了した状態であるものとする。
【００８６】
スマートフォン１００の表示態様設定部２３２により、ライブビュー画像表示のレイアウト（表示態様の一例である）の設定を行う（ステップＳ１０２）。
【００８７】
例えば、図６に示すように、表示入力部１２０の表示パネル１２１（表示画面の一例である）に、ライブビュー画像表示領域１２１Ａ、レイアウトパターン選択領域１２１Ｂ、及び撮像装置数選択領域１２１Ｃを含むマルチライブビュー画面が表示される。ライブビュー画像表示領域１２１Ａは、複数の撮像装置１０Ａ〜１０Ｃから受信する複数のライブビュー画像ＬＶ１〜ＬＶ３のそれぞれを表示する複数領域（第１の画像表示領域３０１、第２の画像表示領域３０２、第３の画像表示領域３０３）からなる。尚、ライブビュー画像ＬＶ１〜ＬＶ３は本ステップでは未表示である。レイアウトパターン選択領域１２１Ｂは、撮像装置数選択領域１２１Ｃに選択入力された撮像装置数に対応して選択可能なレイアウトのパターン（形状）を表示し、ユーザからレイアウトのパターンの選択入力を受け付ける領域である。符号１２４〜１２７はアイコンボタンである。
【００８８】
このようなマルチライブビュー画面が表示入力部１２０に表示された状態で、ユーザは、撮像装置数選択領域１２１Ｃ内で撮像装置の数を選択入力し、かつレイアウトパターン選択領域１２１Ｂ内で撮像装置数ごとに予め決められたレイアウトのパターンを選択入力することで、図７に示す複数のレイアウトのパターン（撮像装置数が１台である場合のパターン１、撮像装置数が２台である場合のパターン２−Ａ、２−Ｂ、２−Ｃ、２−Ｄ、撮像装置数が３台である場合のパターン３―Ａ、３―Ｂ、３―Ｃ、３―Ｄ、３―Ｅのうちから、所望のレイアウトのパターンを選択することができる。
【００８９】
例えば撮像装置の数として「３」が選択され、かつパターン３−Ｄが選択された場合、図８に示すように、更に相対的なコマ位置の違いにより６つの異なるレイアウトが考えられる。例えば、デフォルトを図８の（１）のレイアウトとした場合、ユーザは、スライド操作により、ライブビュー画像の表示位置及び表示サイズを入れ替えることができる。尚、ライブビュー画像ＬＶ１〜ＬＶ３は本ステップでは未表示である。
【００９０】
ユーザにより選択されたレイアウトを示すレイアウト情報は、記憶部１５０に記憶される。ここで、レイアウト情報は、各ライブビュー画像の少なくとも表示サイズ及び表示位置を示す情報を含む。
【００９１】
次に、スマートフォン１００の優先順位設定部２３４により、複数の撮像装置１０Ａ〜１０Ｃにそれぞれに対応する複数のライブビュー画像の優先順位を、ステップＳ１０２で選択されたレイアウト（表示態様の一例である）に基づいて、複数のライブビュー画像間で設定する（ステップＳ１０４）。例えば、図４の「優先順位」の「初期」の列に示したように、撮像装置１０Ａから入力するライブビュー画像ＬＶ１に対して優先順位１を設定し、撮像装置１０Ｂから入力するライブビュー画像ＬＶ２及び撮像装置１０Ｃから入力するライブビュー画像ＬＶ３に対して優先順位２を設定する。ここで、優先順位は、複数の撮像装置１０Ａ、１０Ｂ、１０Ｃのうちいずれから入力されるかに基づいて設定されるのではなく、複数のライブビュー画像ＬＶ１、ＬＶ２、ＬＶ３のレイアウト（表示態様の一例である）に基づいて設定される。
【００９２】
スマートフォン１００の転送条件設定部２３６により、複数の撮像装置１０Ａ〜１０Ｃからスマートフォン１００に対して送信する複数のライブビュー画像の初期の転送条件を設定する（ステップＳ１０６）。本ステップでは、図４の「転送条件」の「初期」の列に示したように、複数のライブビュー画像ＬＶ１、ＬＶ２、ＬＶ３で同一の転送条件が設定される。つまり、複数の撮像装置１０Ａ〜１０Ｃのいずれの間とも電波強度は良いと仮定して、高転送量を許容する転送条件を設定しておく。
【００９３】
スマートフォン１００の指示入力部２１２に、複数の撮像装置１０Ａ〜１０Ｃで行う撮影の撮影準備指示が入力されたか否かを判定する（ステップＳ１０８）。例えば図６のレリーズ・ボタンアイコン１２５の一度目の押下が行われた場合、撮影準備指示が入力されたと判定する。
【００９４】
撮影準備指示がスマートフォン１００の指示入力部２１２に入力された場合（ステップＳ１０８でＹＥＳの場合）、スマートフォン１００の指示出力部２０４（無線通信部１１０）により、複数の撮像装置１０Ａ〜１０Ｃに対して、撮影準備指示及び初期の転送条件を無線通信で送信（出力）する（ステップＳ１１０）。
【００９５】
撮影準備指示及び初期の転送条件を受信（入力）した複数の撮像装置１０Ａ〜１０Ｃは、スマートフォン１００に対して、無線通信でライブビュー画像の送信（出力）を開始する。スマートフォン１００の画像入力部２０２（無線通信部１１０）は、複数の撮像装置１０Ａ〜１０Ｃから、無線通信で複数のライブビュー画像を受信（入力）する。
【００９６】
スマートフォン１００の電波強度検知部２０３は、複数の撮像装置１０Ａ〜１０Ｃのそれぞれとの間の電波強度を検知し、表示制御部２４４は、複数の撮像装置１０Ａ〜１０Ｃのそれぞれとの間の電波強度をマルチライブビュー画面に表示する（ステップＳ１１２）。
【００９７】
スマートフォン１００の電波強度比較部２３３は、検知された複数の撮像装置１０Ａ，１０Ｂ、１０Ｃそれぞれとの間の電波強度を閾値と比較する（ステップＳ１１４）。
【００９８】
複数の撮像装置１０Ａ，１０Ｂ、１０Ｃのうちで少なくとも一つの撮像装置との間の電波強度が閾値よりも小さい場合（ステップＳ１１４でＹＥＳの場合）、スマートフォン１００の実行制御部２５０は、ステップＳ１１６〜Ｓ１２２を実行する。
【００９９】
まず、スマートフォン１００の優先順位設定部２３４は、電波強度の変化に応じて、ライブビュー画像の優先順位を変更する（ステップＳ１１６：優先順位設定ステップの一態様である）。
【０１００】
例えば、図４に示すように、撮像装置１０Ａ及び１０Ｂとの間の電波強度が閾値よりも小さく（「弱」である）、撮像装置１０Ｃとの間の電波強度が閾値以上である（「強」である）場合には、撮像装置１０Ａ及び１０Ｂにそれぞれ対応するライブビュー画像ＬＶ１及びＬＶ２の優先順位を「２」に設定し、撮像装置１０Ｃに対応するライブビュー画像ＬＶ３の優先順位を「１」に設定する。つまり、初期の優先順位（「１」、「２」、「２」）を複数の撮像装置１０Ａ〜１０Ｃとの間の電波強度に応じた優先順位（「２」、「２」、「１」）に変更する。尚、本例では、数字が小さいほど優先順位が高い。
【０１０１】
次に、スマートフォン１００の表示態様設定部２３２は、優先順位の変化に応じて、複数のライブビュー画像の表示態様を変更する（ステップＳ１１８）。
【０１０２】
例えば、図９に示すように、優先順位が「２」と低くなったライブビュー画像ＬＶ１の表示サイズを小さくし、かつ優先順位が「１」と高くなったライブビュー画像ＬＶ３の表示サイズを大きくするレイアウトに変更する。また、本例では、優先順位の高低と表示位置の左右とが対応するように、レイアウトを変更している。つまり、優先順位が「１」であるライブビュー画像ＬＶ３をライブビュー画像表示領域１２１Ａ内の左側の表示位置に再配置し、優先順位が「２」であるライブビュー画像ＬＶ１，ＬＶ２をライブビュー画像表示領域１２１Ａ内の右側の表示位置に再配置している。
【０１０３】
次に、スマートフォン１００の転送条件設定部２３６は、優先順位の変化に基づいて、複数のライブビュー画像の転送条件を変更する（ステップＳ１２０：転送条件設定ステップの一態様である）。
【０１０４】
例えば、図４に示すように、複数の撮像装置１０Ａ〜１０Ｃからのライブビュー画像ＬＶ１〜ＬＶ３の全ての初期の転送条件が同一（例えば転送フレームレートが６０ｆｐｓ（frame per second））であった場合、優先順位が「２」であるライブビュー画像ＬＶ１及びＬＶ２の転送量を低下させ（例えば転送フレームレートを２０ｆｐｓに変更し）、優先順位が「１」であるライブビュー画像ＬＶ３の転送量を維持する。尚、転送フレームレートのみを変更する場合を例に説明したが、転送フレームレートと共に転送画像サイズを変更してもよいし、転送画像サイズのみを変更してもよい。
【０１０５】
図１０は、レイアウトとライブビュー画像の優先順位との対応関係を示す対応関係情報の一例を示す。このような対応関係情報が記憶部１５０に予め記憶されており、表示態様設定部２３２は、記憶部１５０に記憶された対応関係情報を参照して、表示態様を変更する。尚、図１０では、図７のパターン３−Ｄに属する図８のレイアウト（１）〜（６）のレイアウトについて対応関係を記載し、図７の他のパターンについては対応関係の記載を省略したが、実際には他のパターンの対応関係も対応関係情報に含まれる。
【０１０６】
次に、スマートフォン１００の通信制御部２４８は、指示出力部２０４（無線通信部１１０）を介して、複数の撮像装置１０Ａ〜１０Ｃに対して、転送条件を無線通信で送信（出力）する（ステップＳ１２２）。
【０１０７】
スマートフォン１００の実行制御部２５０は、複数の撮像装置１０Ａ〜１０Ｃの少なくともひとつからライブビュー画像を受信したか否かを判定する（ステップＳ１２４）。
【０１０８】
スマートフォン１００の画像処理部２４２は、受信されたライブビュー画像をトリミングする（ステップＳ１２６）。
【０１０９】
スマートフォン１００の表示制御部２４４は、図１１に示すように、優先順位が高いライブビュー画像ＬＶ３を表示領域３０１に表示させ、優先順位が低いライブビュー画像ＬＶ１及びＬＶ２を表示領域３０２及び３０３に表示させる（ステップＳ１２８）。尚、図１１において、符号３２１、符号３２２、符号３２３は、それぞれ、撮像装置１０Ａとの間の電波強度、撮像装置１０Ｂとの間の電波強度、撮像装置１０Ｃとの間の電波強度を示すアイコン（電波強度アイコン）であって、本例では前述のステップＳ１１２で既に表示され、本ステップでは変更された優先順位に応じて表示位置が変更されてライブビュー画像に重ねて表示される。
【０１１０】
スマートフォン１００の指示入力部２１２に、複数の撮像装置１０Ａ〜１０Ｃで行う撮影の指示が入力されたか否かを判定する（ステップＳ１３０）。例えば、ライブビュー画像が表示された状態で、図６のレリーズ・ボタンアイコン１２５の押下が行われた場合、撮影指示が入力されたと判定する。
【０１１１】
撮影指示がスマートフォン１００の指示入力部２１２に入力された場合（ステップＳ１３０でＹＥＳの場合）、スマートフォン１００の指示出力部２０４（無線通信部１１０）により、複数の撮像装置１０Ａ〜１０Ｃに対して、無線通信で撮影指示を送信（出力）する（ステップＳ１３２）。
【０１１２】
複数の撮像装置１０Ａ〜１０Ｃでは、被写体の撮影が行われる。スマートフォン１００の画像入力部２０２（無線通信部１１０）は、複数の撮像装置１０Ａ〜１０Ｃから、無線通信で複数の撮影画像（静止画又は動画或いは両方）を受信（入力）する（ステップＳ１３４）。
【０１１３】
スマートフォン１００の実行制御部２５０は、スマートフォン１００の記憶部１５０に複数の撮影画像を記録し、かつスマートフォン１００の表示入力部１２０の表示パネル１２１に複数の撮影画像のうち少なくともいずれかを表示する（ステップＳ１３６）。
【０１１４】
尚、本例では、ライブビュー画像の受信後に、複数の撮像装置１０Ａ〜１０Ｃに対して撮影指示を送信し、撮影指示に従って複数の撮像装置１０Ａ〜１０Ｃで撮影された複数の撮影画像を複数の撮像装置１０Ａ〜１０Ｃから受信する場合を例に説明したが、撮影画像は複数の撮像装置１０Ａ〜１０Ｃにおいて自動で撮影されてもよい。
【０１１５】
［表示態様変更の他の例］
図９を用いてライブビュー画像の優先順位の変更があってもレイアウトのパターン（形状である）は変更しない場合を例に説明したが、本発明はこのような場合に限定されない。図１２に示すように、ライブビュー画像の優先順位の変更があった場合にレイアウトのパターンを変更してもよい。
【０１１６】
図１２は、撮像装置の数が２台であってライブビュー画像の優先順位が変更された場合に、ライブビュー画像の表示位置は変更しないで、ライブビュー画像の表示サイズのみを変更した場合を示す。
【０１１７】
［転送条件表示の例］
図１１を用いて電波強度のみをライブビュー画像に重ねて表示した場合を例に説明したが、本発明はこのような場合に限定されない。図１３に示すように、複数の撮像装置１０Ａ、１０Ｂ，１０Ｃのそれぞれのライブビュー画像の転送条件３３１、３３２、３３３を表示制御部２４４によりライブビュー画像表示領域１２１Ａに表示させてもよい。図１３は、転送条件として転送のフレームレートを表示した場合を示す。転送条件として転送の画像サイズを表示してもよい。優先順位の変更に応じて転送のフレームレート及び転送の画像サイズの両方を変更する場合には、転送のフレームレート及び転送の画像サイズの両方を表示することが好ましい。
【０１１８】
［システム構成のバリエーション］
図１に示したように、撮像装置１０とライブビュー制御装置の一例であるスマートフォン１００とが直接的に無線通信を行う第１の無線通信態様において本発明を適用した場合を詳細に説明したが、図１４に示す第２の無線通信態様において、本発明を適用してもよい。
【０１１９】
図１４において、撮像装置１０Ａ、１０Ｂ、１０Ｄとライブビュー制御装置の一例であるスマートフォン１００とがアクセスポイントＡＰを介して間接的に無線通信を行う。
【０１２０】
このような撮像システムでは、一般に、スマートフォン１００はアクセスポイントＡＰとの間の電波強度を検知できても、複数の撮像装置１０Ａ、１０Ｂ、１０ＤのそれぞれとアクセスポイントＡＰとの電波強度を検知できない。そこで、アクセスポイントＡＰを介して通信を行う場合、本発明の電波強度検知部２０３は、ライブビュー画像の実際の転送状況を監視して複数の撮像装置１０Ａ、１０Ｂ、１０Ｄのそれぞれとの間の電波強度を推定するか、或いは複数の撮像装置１０Ａ、１０Ｂ、１０ＤのそれぞれとアクセスポイントＡＰとの電波強度をアクセスポイントＡＰから取得する。電波強度の推定は、例えば各フレームの再送回数、実際のフレームレート等を用いて行うことが考えられる。
【０１２１】
尚、図１４の場合、撮像装置１０Ａ、１０Ｂと撮像装置１０Ｄとでは、機種が異なっている。撮像装置１０Ｄは、撮像レンズ及び撮像素子を含む撮像部が、パン方向及びチルト方向に回動可能なパン・チルトカメラである。このように撮像装置間で機種が異なる場合にも、本発明は適用可能である。
【０１２２】
本発明は、本明細書及び添付図面に記載された例には特に限定されず、本発明の要旨を逸脱しない限りにおいて本明細書及び添付図面に記載された例とは異なる態様で実施してもよい。
【符号の説明】
【０１２３】
１０（１０Ａ、１０Ｂ、１０Ｃ、１０Ｄ）：撮像装置、１００：スマートフォン（ライブビュー制御装置）、１０１：主制御部、１１０：無線通信部、１２０：表示入力部、１２１：表示パネル、１２２：操作パネル、２０２：画像入力部、２０３：電波強度検知部、２０４：指示出力部、２１２：指示入力部、２３２：表示態様設定部、２３３：電波強度比較部、２３４：優先順位設定部、２３６：転送条件設定部、２４２：画像処理部、２４４：表示制御部、２４８：通信制御部、２５０：実行制御部
【図１】
2018098801.tif 000003
【図２】
2018098801.tif 000004
【図３】
2018098801.tif 000005
【図４】
2018098801.tif 000006
【図５】
2018098801.tif 000007
【図６】
2018098801.tif 000008
【図７】
2018098801.tif 000009
【図８】
2018098801.tif 000010
【図９】
2018098801.tif 000011
【図１０】
2018098801.tif 000012
【図１１】
2018098801.tif 000013
【図１２】
2018098801.tif 000014
【図１３】
2018098801.tif 000015
【図１４】
2018098801.tif 000016